(57)【要約】【課題】係止可能で取外し可能なカセットを備えている蠕動ポンプを提供する。【解決手段】蠕動ポンプ（２）は少なくとも１つのカセット（６）と、１つの支持体とを備えている。このポンプは、支持体のカセットがその主ボディに対する圧力（９０）により係止解除されることができるように取付けられている。【選択図】図４
2008503687.tif 000002
【特許請求の範囲】
【請求項１】
少なくとも１つのカセット（６）と、
１つの支持体（４）と、
を備えており、支持体のカセットがその主ボディ（２０）に対する圧力（９０）により係止解除されることができるように、取付けられている蠕動ポンプ（２）。
【請求項２】
カセット（６）が支持体に好ましくは下方に固着されるときと同じ方向および同じ配向で圧力（９０）が加えられるように構成されている、請求項１に記載のポンプ。
【請求項３】
圧力（９０）をボディ（２０）に加えることによってカセット（６）を支持体に係止することができるように構成されている、請求項１または２に記載のポンプ。
【請求項４】
係止するのに使用される圧力と、係止解除するのに使用される圧力（９０）とが同じ方向および配向で加えられる、請求項１ないし３のうちのいずか１項に記載のポンプ。
【請求項５】
傾斜面と、傾斜面における位置に応じてカセットを係止したり係止解除したりするように設定されているグライダー（５０）とを有している、請求項１ないし４のうちのいずか１項に記載のポンプ。
【請求項６】
グライダー（５０）はハウジング（６０）内で移動することができ、ハウジング内に留まっている、請求項１ないし５のうちのいずか１項に記載のポンプ。
【請求項７】
グライダー（５０）はハウジング（６０）内での摺動により移動することができる、請求項５または６に記載のポンプ。
【請求項８】
グライダー（５０）はハウジング（６０）内での回転により移動することができる、請求項５ないし７のうちのいずれか１項に記載のポンプ。
【請求項９】
グライダー（５０）はその摺動方向に対して垂直である軸線（６４）のまわりのハウジング（６０）内での回転により移動することができる、請求項５ないし８のうちのいずれか１項に記載のポンプ。
【請求項１０】
グライダー（５０）を戻す方式（６６）が設けられている、請求項５ないし９のうちのいずれか１項に記載のポンプ。
【請求項１１】
グライダー（５０）が傾斜面（５２）を通って一方向のみに走行することができるように構成されている請求項５ないし１０のうちのいずれか１項に記載のポンプ。
【請求項１２】
傾斜面（５２）はグライダー（５０）の進行に対して垂直である方向に従って一定でない深さを有している、請求項５ないし１１のうちのいずれか１項に記載のポンプ。
【請求項１３】
傾斜面（５２）はグライダー（５０）の下に垂直方向に延びるように構成されている係止領域（８２、８４）を与えている、請求項５ないし１２のうちのいずれか１項に記載のポンプ。
【請求項１４】
傾斜面（５２）は、グライダー（５０）の経路に基づいてそれぞれ係止領域の上方および下方に延びているランディング領域（７８）およびスターティング領域（８６）を有している、請求項５ないし１３のうちのいずれか１項に記載のポンプ。
【請求項１５】
傾斜面（５２）がグライダー用の入口および出口箇所の両方を設けるように構成されている、請求項５ないし１４のうちのいずれか１項に記載のポンプ。
【請求項１６】
傾斜面（５２）およびグライダー（５０）はカセット（６）および支持体（４）の側壁部上で延びている、請求項５ないし１５のうちのいずれか１項に記載のポンプ。
【請求項１７】
傾斜面（５２）はカセットの一部であり、グライダー（５０）は支持体（４）の一部である、請求項５ないし１６のうちのいずれか１項に記載のポンプ。
【請求項１８】
カセット（６）は、支持体の第１部分（４２）にラッチ止めするように設計された第１部分（４４）と、ラッチ止め作用の終了時に支持体の第２部分（４０）に接近されるように設計されている第２部分（５２）とを有している、請求項１ないし１７のうちのいずれか１項に記載のポンプ。
【請求項１９】
圧力（９０）をカセット（６）のボディ（２０）に加える、蠕動ポンプ（２）における支持体（４）からカセット（６）を係止解除する方法。
【発明の詳細な説明】
【技術分野】
【０００１】
本発明は蠕動ポンプに関する。
【背景技術】
【０００２】
蠕動ポンプの利点は、ポンプのいずれの部分も液体に触れることなしに管を通して液体を移動させることができる点である。血液のような敏感な液体をこのようにして移動させることができる。
文献ヨーロッパ特許第０３３９８５７号は、取外し可能な方法で並んで取付けられることができる支持体およびカセットを備えている蠕動ポンプを開示している。詳細には、各カセットは液体を移送する管と、ポンプが比較的強い歪をカセットに間接的に与える移動性ローラを有することを心に留めて、カセットを支持体に適所に係止する手段とを有している。
【０００３】
カセットと取付けるには、まず、カセットをその２つの脚部のうちの一方により支持ロッドに固着し、次いで、他方の脚部が他のロッドに固着されるように回転させる。逆に、カセットを取外す前に係止解除するのは、可撓性の部分を回転させ、それによりカセットを第２ロッドから解放する。しかしながら、この係止解除方法は、使用者が人間工学にいくらか欠ける比較的不自然な動作を行なうことを必要とする。
【発明の開示】
【発明が解決しようとする課題】
【０００４】
本発明の目的は使用者によりカセットの係止解除を容易にすることである。
【課題を解決するための手段】
【０００５】
この目的で、本発明は、
少なくとも１つのカセットと、
支持体と、
を備えており、支持体のカセットがその主ボディに対する圧力により係止解除されることができるように、取付けられている蠕動ポンプを述べる。
従って、カセットは単に押し付けることにより係止解除されることができ、それにより使用者にとって係止解除を非常に簡単に且つすばやく行なうことができる。また、これは非常に自然な動作である。
【０００６】
本発明によれば、ポンプは、また、下記の明細のうちの１つを有することができる。
カセットが支持体に好ましくは下方に固着されるときと同じ方向および同じ配向で圧力が加えられる。
ポンプは、圧力をカセットのボディに加えることによってカセットを支持体に係止することができるように取付けられている。
ポンプは、係止するのに使用される圧力と、係止解除するのに使用される圧力とが同じ方向および配向で加えられるように取付けられている。
ポンプは、傾斜面と、傾斜面における位置に応じてカセットを係止したり係止解除したりするように設定されているグライダーとを有している。
【０００７】
グライダーはハウジング内で移動することができ、ハウジング内に留まっている。
グライダーはハウジング内での摺動により移動することができる。
グライダーはハウジング内での回転により移動することができる。
グライダーはその摺動方向に対して垂直である軸線のまわりのハウジング内の回転により移動することができる。
ポンプはグライダー用の戻し機構を有している。
ポンプは、グライダーが一方向のみに傾斜面を辿ることができるように取付けられている。
【０００８】
傾斜面の深さはグライダーの経路に対して垂直である方向に従って一定でない。
傾斜面はグライダーの下に垂直方向に延びるように取付けられている係止領域を有している。
傾斜面は、グライダーの経路に基づいてそれぞれ係止領域の上方および下方に延びているランディング領域およびスターティング領域を有している。
ポンプは、傾斜面の同じ領域がグライダー用の入口および出口箇所として使用されることができるように取付けられている。
傾斜面およびグライダーはカセットおよび支持体の側部に沿って延びている。
傾斜面はカセットの一部であり、グライダーは支持体の一部である。
カセットは、支持体の第１部分にラッチ止めするように設計された第１部分と、ラッチ止め作用の終了時に支持体の第２部分に接近されるように設計されている第２部分とを有している。
【０００９】
また、本発明は
カセットのボディに押し付けることによって蠕動ポンプにおける支持体からカセットを係止解除する方法に関する。
本発明の他の特徴および利点は、添付図面に基づいていずれの制限をも含まない例として挙げられる好適な実施形態の下記の説明に生じるであろう。
【発明を実施するための最良の形態】
【００１０】
図１ないし図１３は、ポンプ用の本発明の好適な実施形態を示している。蠕動ポンプ２は１つのポンプヘッド４および幾つかのカセット６を有している。
たった１つのカセットが図に示されている。種々のカセットはすべて同じである。ヘッドは２つの主壁部、すなわち、前壁部８および後壁部１０を有しており、各壁部は形状が矩形であり、互いに平行に延びていて、互いから間隔を隔てて互いに面している。両壁部はこれらの間に空間１２を生じており、この空間１２は、後で示されるように、互いに平行に延長されたカセット用の容器として使用される。ポンプヘッドはローター装置１４と、ベアリングローラまたはシュー１６とを有しており、この場合、これらのベアリングローラまたはシューは８個ある。ローラはその回転軸線である装置の中央軸線１８のまわりに一様に且つ対称に配置されている。ローラシャフトは同じ円内に位置決めされている。
【００１１】
カセットは主ボディ２０および管または可撓性管２２を有している。詳細には、ボディは、これが逆Ｕ字の一般形状を持つように２つの脚部２４を有している。これらの脚部の端部の自由領域は管２２の２つのランを受入れるスロット２６を有している。管の中間部は、これらの２つの部分間に延びていて、カセットの下側中間縁部に載っている。この下側縁部は中空の曲線の形状である。管２２のこの部分は、ローラ１６が回動すると、ローラ１６に寄りかかるようになっている。蠕動ポンプの原理に基づいて、装置１４が回動すると、液体を管の中間部分に沿って管を通して圧送するために、ローラは、それが管に沿って移動するにつれて管を圧縮する。
この例では、カセット６は出張部３０を有しており、この出張部３０の下縁部は管２２が延長されて当たる前記縁部を構成している。この部分は、カセットの一部が除去された図３によりはっきり現れている。出張部３０は、可動性であり、垂直線上でボディ２０において摺動し、そしてばね３２のような戻し機構により管に向けて戻される。
【００１２】
かくして及ぼされた戻し強さを調整する手段が、考えられており、その手段は、例えば、ボディ２０の上縁部から上昇している制御ノブ３４からなる。従って、ローラに寄りかかっている管にばね３２により及ぼされる圧力を調整することが可能である。もちろん、説明をポンプヘッドに制限しているが、ポンプ自身が、伝統的な概念のものである装置１４用の駆動装置、制御手段などのような他の部品を有していることを気づくであろう。
ヘッド４は容器１２内にカセットを支持する手段を有している。これらの手段は、１つの壁部から他の壁部８、１０まで延びていて、軸線１８と平行である２つの側レール４０、４２を有している。この軸線はこれらの２つの側レール間にある。２つの側レールは軸線１８と同じ平面に沿って延びている。
【００１３】
特に図３ないし図５に示されるように、カセット６の２つの脚部２４のうちの一方は、脚部の外側部にラッチ歯を有するフック４４として端部に成形されている。側レール４２はその内側部に沿って位置決めされた各カセット６用の穴４６を有している。この穴４６は対応する脚部を上方動作しないように保持するためにフック４４を受入れるようになっている。カセット６のボディ２０もまた、同じ脚部の肩部４８でこの側レールの頂部に支持されている。
カセットをヘッド４に装着するために、フック４４を穴４６内にラッチ止めする角度でカセット６を容器１２に入れる。このラッチ止め操作が完了されると、カセット６を傾動して戻して他方の脚部２４を対応する側レール４０に近づける。次いで、カセット６を以下に説明する要素で適所に係止する。
各カセット位置では、側レール４０はグライダー５０と、このグライダー５０と協力して作用するように設計されている傾斜路５２とを有している。
【００１４】
詳細には、グライダー５０の正面図が図７ないし図１３に示されている。本質的に、グライダー５０は細長い円筒形のボディを有しており、このボディの中間部５１は、４つの周面が直角であり、互いに平行であり、且つグライダー５０の主軸線と平行である矩形の平行六面体の形状である。グライダー５０は側レール４０を越えて延びている外端部５４を有している。また、グライダー５０は側レール４０の内側に延びている内端部５６を有している。この端部は半球の形状であり、ヘッドの内面を構成する球体の赤道平面はボディと連続している。従って、ヘッドの外側部は半球状である。
側レール４０は各グライダー５０用の細長いハウジング６０を有している。このハウジング６０はグライダー５０をハウジング６０内で長さ方向に前後に摺動させるように設計されている。しかしながら、側レール４２は、グライダー５０がハウジング６０から完全に去るのを防ぐストッパを形成するために、中間部５１およびヘッド５６から延びているボディの部分が挿入される頂部において開放フォーク設計で平らに見える保持部分６３を有している。
【００１５】
また、ハウジング６０は、特に図１１および図１３に示されている垂直方向に延びている軸線６４のまわりにハウジング内でグライダー５０を自由に回転させるように設計されている。従って、この軸線はグライダー５０の摺動経路に対して垂直である。この軸線はこれを構成するフォークの高さで部分６１の平面内に延びている。グライダー５０の中間部分５１はグライダーがそのハウジング６０内で移動するときにグライダーを案内する。
また、側レール４０は戻し部分を有しており、この戻し部分は、ここでは、ヘッドに面していて、グライダー５０をそのハウジングから押し出すように、還元すると、カセットに向けて押すように、ヘッドの球形側部に作用する可撓性の平らなブレード６６として設計されている。
この例では、ブレード６６は可動であって、軸線６４およびグライダー５０の長さ方向並びに図１２の図の平面に対して垂直な下側軸船６２のまわりに回転する。この例では、保持部分６３およびブレード６６はシート金属を切断して折り曲げることにより形成されている。従って、保持部分６３およびブレード６６は単一の部分を構成している。
【００１６】
特に図５および図６を参照すると、傾斜面５２はグライダー５０に面するように設計されたカセット脚部２４の外側部に沿って延びている。この側部は、傾斜面５２が、グライダー５０に面していて図６の正面で見えている傾斜面の側部と、これらの側部に対して垂直であって、グライダーの長さ方向と本質的に平行な母線を有している側部との両方でグライダー５０の外端部上で案内されてそこに作用するように設計されるようにして切欠き付きである。
図６を参照すると、傾斜面はグライダー５０の入口および出口箇所の両方として機能する領域７０を有している。この領域は脚部２４の下端部７２に隣接している。
この領域の中間部分の上方では、レリーフ７４がグライダーに向けてこの領域に沿って上昇されている。
【００１７】
傾斜面５２は図６においてレリーフ７４の右側および領域７０の上方に垂直方向に沿って入口ダクト７６を有している。
この入口ダクトの後方で、傾斜面５２は左側入口曲り部７８を与えており、この曲り部は特に円筒体扇の形状で下向きの支持側部８０を有している。
傾斜面５２における曲り部に続いて、レリーフ７４の上方に延びている係止または保持領域８２があり、この領域８２は特に円筒体扇の形状である上向きの支持側部８４を有している。
領域８４の後方で、傾斜面は、図６の上部にあり、入口曲り部７８と同じ形状である左側出口曲り部８６を有している。この曲り部８６もまた円筒体扇の形状である下向きの支持側部８８と関連されている。
側部８４の上方に位置決めされているものとは対照的に、側部８０、８８のための湾曲中心はこれらの側部の下方に位置決めされている。
出口曲り部に続いて、出口ダクト９０がこの曲り部と出口領域７０との間の接合部を構成している。
【００１８】
レリーフ７４は図６の右側に下向きの下側支持側部９２を与えている。この平らな側部は、休止の間、グライダー５０の上方に延びており、そしてこれがグライダーに接触すると、入口ダクト７６に面する傾向がある。
また、入口ダクト７６は、グライダー５０に面していて、平らであり、わずかに下方の配向を有する底側部を有している。従って、グライダーがこの側部に沿って走行すると、グライダーはブレード６６に向けてそのハウジングに押し入れられる。この下方の配向は図８によりはっきり現われている。
入口曲り部７８の底側部は、平らであって、垂直線上にある。この側部７８の入口縁部は、グライダー５０が入口曲り部７８から入口ダクト７６まで移動するのを防ぐために、入口ダクト７６の底側部の出口側部に対してずれた深さにある。同様に、保持領域と入口曲り部７８との間のずれた深さにより、グライダー５０は反対方向に移動することなしに入口曲り部から保持領域まで移動することができる。最後に、グライダー５０が反対方向に移動することなしに入口曲り部から保持領域まで移動することができるように、保持領域８２と出口曲り部８６の底側部との間に同様なずれがある。これらの３つのずれは特に図８で明らかである。
【００１９】
なお、入口および出口曲り部に属する２つの下向きの円筒形側部８０、８８は、これらが隆起部を構成するようにそれらの縁部のうちの一方により接合されている。この隆起部は、保持領域８２と入口曲り部７８との間のずれた深さと協力して、グライダーを保持領域から出口曲り部８６まで案内する。
従って、入口曲り部７８と、保持領域８２と、出口曲り部８６との底側部は、グライダー５０の短部５４が曲り部７８から保持領域８２まで、最後に曲り部８６まで進むことにより「下方に」辿ることができる階段の段部のように深さが設定されている。入口ダクト７６により、領域７０にあるグライダーが入口曲り部７８を経て「最も高い」段部まで直接進むことができる。
【００２０】
図７ないし図１１を参照して説明すると、係止および係止解除は下記の機構に従って作用する。
カセットが図４に示される位置にあるとき、カセットを適所に係止するために、使用者は押し下げ９０によってカセットボディに、例えば、その上側に作用する。この作用により、レリーフ７４の側部９２をグライダー５０に当てる。これにより、初めは下方に伸びていて、この側部９２から間隔を隔てられているグライダー５０は入口ダクト７６に向けて案内される。
図７は左側領域７０を有するグライダーが入口ダクト内で走行するときの支持体およびカセットを示している。従って、グライダーはカセットにより作用されてブレード６６に向けてそこに当てられる。また、入口ダクト７６を辿るために、グライダー５０は右側にわずかに回転した。
【００２１】
使用者がカセットに圧力を及ぼすと、グライダーは、図２に示されるように、入口ダクト７６を去り、入口曲り部７８に達する。すると、側部８０はグライダー用のストッパとなり、これは、カセットの下方進行が終了したことを使用者に知らせる。直感により、使用者はカセットの押し下げ９０を止める。この圧力がローラに寄りかかっている管２２に及ぼされたことを考慮して、管の弾性は脚部２４を上方に移動させる傾向がある。これにより、傾斜面の構成に起因して、グライダー５０を保持領域８２に留めて側部８４により支持する。
この支持体により、カセットの上方進行は制限される。それで、カセットは機能的に係止された位置にある。
カセットを係止解除するために、使用者は異なる結果となる以外は同じ作用を果たす。従って、圧力９０をもう一度カセットの頂部に加え、この圧力により、グライダー５０を保持領域８２から離れる方向に押して入口曲り部８６に入れる。グライダーは側部８８に寄りかかるようになり、これは、カセットの下方進行が終了したことを示しており、使用者は直感で押すのを止める。
【００２２】
また、管の弾性はカセットを押し上げ、それによりグライダーを出口ダクト９０に向けて、次いで領域７０に向けて移動させる傾向がある。
それで、使用者は係止解除されたカセットを回転させて解放された脚部２４を側レール４２から分離し、次いでフック４４を側レール４２から分離してカセットをその支持体から取り外す。
グライダー５０が、領域７８、８２、８６を通るその進行中、そのハウジングから出て図１２の構成から図１３に示される構成へ進む。また、同じ動作中、グライダーはじく線６４のまわりに回転する。グライダーは、保持領域８２にあれば、右側の位置、換言すると、管と平行な位置にある。曲り部８６に達すると、グライダー５０は左に回転し、出口ダクト９０を去るまで、この配向を維持する。グライダーは、領域７０に達すると、右側の位置に戻る。
【００２３】
従って、本発明によれば、使用者はカセットの頂部に圧力を加えるだけでカセットをその支持体に係止することができる。同じ作用により、使用者はカセットを係止解除することができる。従って、これらの作用は簡単に且つすばやく行われることができ、望むなら、ポンプのカセットのいくつかについて次から次に、或いは連続的に行われることができる。
なお、これらの操作は使用者が管に触れることさえなしに達成される。しかしながら、管の弾性を使用しているこれらの係止および係止解除操作は、これらの操作中およびカセットがポンプヘッド上の機能的な位置にあるときに、管に対する適切でない作用を防ぐ制限位置を定めている。詳細には、これらの操作中に管が過剰に応力付与される恐れが無い。これは、管が過剰に応力付与されれば、ポンプの作動により強く衝撃される管の寿命が短縮されることがあるので、特に重要である。
当然、本発明の枠組みから外れることなしに本発明の多くの変更例が想像されることができる。
特に、傾斜面およびグライダーの構成を変更することができる。傾斜面およびグライダーはカセット上で延びることができ、傾斜面は支持体上で延びることができる。
【図面の簡単な説明】
【００２４】
【図１】装着されていないときのカセットを示している好適な実施形態によるポンプの斜視図である。
【図２】装着されているときのカセットを示している好適な実施形態によるポンプの斜視図である。
【図３】図２に示されるポンプのＩＩＩ-ＩＩＩに沿った横断面図である。
【図４】図２のカセットと、このカセットを適所に保持する部分とを示している斜視図である。
【図５】図４のカセットを示している斜視図である。
【図６】図５のカセットの傾斜面の拡大図である。
【図７】図２に示されるポンプにおけるグライダーおよび傾斜面のための係止／係止解除方法における工程を示している部分斜視図である。
【図８】図２に示されるポンプにおけるグライダーおよび傾斜面のための係止／係止解除方法における工程を示している部分斜視図である。
【図９】図２に示されるポンプにおけるグライダーおよび傾斜面のための係止／係止解除方法における工程を示している部分斜視図である。
【図１０】図２に示されるポンプにおけるグライダーおよび傾斜面のための係止／係止解除方法における工程を示している部分斜視図である。
【図１１】図２に示されるポンプにおけるグライダーおよび傾斜面のための係止／係止解除方法における工程を示している部分斜視図である。
【図１２】グライダーの前後動作を示している横方向図である。
【図１３】グライダーの前後動作を示している横方向図である。
【図１】
2008503687.tif 000003
【図２】
2008503687.tif 000004
【図３】
2008503687.tif 000005
【図４】
2008503687.tif 000006
【図５】
2008503687.tif 000007
【図６】
2008503687.tif 000008
【図７】
2008503687.tif 000009
【図８】
2008503687.tif 000010
【図９】
2008503687.tif 000011
【図１０】
2008503687.tif 000012
【図１１】
2008503687.tif 000013
【図１２】
2008503687.tif 000014
【図１３】
2008503687.tif 000015
【国際調査報告】
2008503687.tif 000016
2008503687.tif 000017
2008503687.tif 000018
2008503687.tif 000019
2008503687.tif 000020
2008503687.tif 000021